(57)【要約】【課題】  鉢の花や草木に水を毎日のように与えなくとも、前に与えた水によって鉢の花や草木の根ぐされを発生しないようにして、鉢の内部に水を保持することができることは不可能であった。【解決手段】  鉢１の内部１５に入れる水溜受２１の中心部を空間部２６とする断面は溝状の水溜り用の凹みを形成壁１２で形成した水溜部１３でなる水溜受２１を鉢１の内部１５に入れることによって、鉢に備え付ける水溜受を設けるものである。【選択図】      図１
2006109750.tif 000002
【特許請求の範囲】
【請求項１】
鉢の内部に設けられる水溜受であって、その中心部を空間部とする溝状の水溜部を形成壁で形成したことを特徴とする鉢に備え付ける水溜受。
【請求項２】
鉢の側壁の下部に向って、鉢の内部を階段的に径小にしたその水平方向の底部より突出した突出部によって、水溜り用の溝を形成した水溜受を設けたことを特徴とする鉢に備え付ける水溜受。
【発明の詳細な説明】
【技術分野】
【０００１】
この発明は鉢の内部に主に土や飼料を入れて、その中に花や草木などを植えたものが、一般の鉢に植えたものより水の供給する回数を少なくすることができる鉢に備え付ける水溜受に関する。
【背景技術】
【０００２】
従来において、鉢の内部に主に土や飼料を入れて、その中に花や草木などを植えたものが生育するように水を供給する手段はいろいろあるが、その中でも本発明に近い技術として、下記特許文献１、及び、下記特許文献２と下記特許文献３などがある。
【０００３】
下記特許文献１の発明は水そのものを供給口から受け入れた水を水溜めして保湿する状態を作り出すのに設けるものである。
【０００４】
そのための下記特許文献１について説明すると輪型給水皿は鉢の上に必ず置く水受部であり、輪型給水皿は鉢の自由な位置に設置するには不可能な水受部（ここで水受部とは水受突出溝のことを云う）を有している形状であり、しかも鉢の上部に必ず位置して固定台の上に設けてあるので、輪型給水皿は鉢の自由位置に設置する勘案は全くなくできている。
【０００５】
従って、この輪型給水皿は鉢の下部の自由な位置において、土を介して花や草木に鉢の上部表面に散水した水を溜めるための構造を有していない発明である。
【０００６】
特許文献２と特許文献３は鉢の底部の中心部を中空とする貯水槽を設け、該貯水槽の上部に多くの穴を有した遮蔽板を設けて、その上の土に花や草木を植えてある。
【０００７】
貯水槽に溜った水を蒸発現象や毛細管現象によって花や草木に水を供給するものである。
【０００８】
このようにすると遮蔽板の穴から土が漏れて貯水槽の中に入らないようにするために、何らかの仕掛けによって穴を防ぐか、又は、穴を小さくしなければならなくなるので、穴は常に塞がった状態になる。
【０００９】
そのために、遮蔽板の穴を介して土を通って花や草木の根に水を補給する作用は極めて悪い条件になるものである。
【００１０】
従って、花や草木には充分な水を与えることができない。
【００１１】
貯水槽に溜った水が気化して多量の水蒸気になるにはかなりの高い温度が発生しなければならなく、その温度をこの発明から得るには困難である。
【００１２】
又、例えば、その温度が得られるとしたら逆に花や草木の生育に悪いように働くものと考えられる。
【００１３】
下記特許文献３の鉢底としてあるものは、これまで説明してきたように鉢底に穴がないと下記特許文献３の発明は成り立たないものであるので、穴があるものとして説明したものである。
【００１４】
【特許文献１】特開平１１−４２０１９
【特許文献２】特開昭５８−２１２７２６
【特許文献３】実登３０２２８８７
【発明の開示】
【発明が解決しようとする課題】
【００１５】
この発明は鉢に花や草木などを植えたものは、その鉢に植えてある種類などにもよるが、毎日のように水を与えないと、花や草木の生育は悪くなり、水を供給する回数を減らして水をやらないと花や草木が枯れたりすることが発生する。
【００１６】
又、従来の鉢では水が溜るようにすると花や草木が根腐れを発生して花や草木の生育に支障をきたしたり、枯れてしまう欠点があった。
【００１７】
従って、この発明の目的は従来の欠点に鑑みて発明したもので、鉢の花や草木に水を毎日のように与えなくとも、前に与えた水によって鉢の花や草木の根腐れを発生しないようにして、鉢の内部に水を保持することができることを可能にした鉢に備え付ける水溜受を提供することにある。
【課題を解決するための手段】
【００１８】
前記目的の第一の発明は、鉢の内部に設けられる水溜受であって、この水溜受はその中心部を空間部とする溝状の水溜部を形成壁で形成したことを特徴とする鉢に備え付ける水溜受によって達成される。
【００１９】
前記目的の第二の発明は、鉢の側壁の下部に向って、鉢の内部を階段的に径小にしたその水平方向の底部より突出した突出部によって、水溜り用の溝を形成した水溜受を設けたことを特徴とする鉢に備え付ける水溜受によって達成される。
【発明の効果】
【００２０】
この発明の一つは、鉢１の内部に入れる中心部を空間部とする鉢の形状に合わせた断面は溝状の水溜り用の凹みを形成壁１２で水溜部１３に形成した水溜受を鉢１に備え付けることによって、鉢１に毎日のように水を散水しなくとても済むようにして、しかも鉢１の花や草木が根腐れを起こすことのないように、花や草木の根の一部に水分を補給して、花や草木の根の一部から水を吸い上げて花や草木の全体に水をゆき渉らせることができる鉢に備え付ける水溜受となるものである。
【００２１】
鉢１に花や草木を植えてあるものが、主に室内においてあると、雨や外気があたらず鉢１に植えつけてある花や草木は室内の空気中から得ら鉢れる水分だけでは生育ができなくなり短期間で枯れるなどの現象が生じる。
【００２２】
そのために、通常は室内の鉢１に植えつけてある花や草木などは、毎日のように鉢１の花や草木に散水しなければならなかったが、この発明の鉢に備え付ける水溜受によって簡単な構造にして、ある期間は水をやらなくても済むようになった。
【００２３】
この発明はそれらの鉢１に毎日のように水を散水しなくとても済むように、鉢１の一部に花や草木が根腐れを起こすことのないように、花や草木の根の一部に水分を補給することができる大小の鉢に備え付ける水溜受を鉢１の上下の位置に二つ程度設けてもよいが、一般には鉢１の一部に少なくても一個所設けることによって、鉢１に毎日のように水を散水することをしなくても済む鉢に備え付ける水溜受がえられるものである。
【００２４】
この発明の二つ目は、鉢１１を形成する側壁１０から内部に連成させた水溜受を側壁１０に少なくとも一個所鉢１１に設けるものである。
【００２５】
従って、この発明の二つ目も前記同様な発明の効果を得ることができる。
【００２６】
鉢１１に花や草木を植えてあるものが、主に室内においてあると、雨や外気があたらず鉢１１に植えつけてある花や草木は室内の空気中から得られる水分だけでは生育ができなくなり短期間で枯れるなどの現象が生じる。
【００２７】
そのために、通常は室内の鉢１１に植えつけてある花や草木などは、毎日のように鉢１１の花や草木に散水しなければならなくなる。
【００２８】
この発明はそれらの鉢１１に毎日のように水を散水しなくとても済むように、鉢１１の一部に花や草木が根腐れを起こすことのないように、花や草木の一部に水分を補給することができる水溜受を鉢１１の一部に少なくても一個所設けることによって、鉢１１に毎日のように水を散水することをしなくても済む鉢に備え付ける水溜受が得られるものである。
【発明を実施するための最良の形態】
【００２９】
従来は一般に鉢の底部には水が通り抜けるのを防ぐことがないようにして、水の抜ける穴を設けてある、そのようにしないと鉢は草や草木を植えて水をやると、鉢に水が溜り花や草木の根腐れを発生して花や草木の生育がとまり枯れてしまうようになる。
【００３０】
そのために、それらを防止するために、一般に鉢の底部に水の抜ける穴をもうけてあるので、花や草木が植えてある鉢に毎日のように水を与えなければならない。
【００３１】
この発明は鉢に水を与えなえなくても根腐れを発生しないようにするために、与えた水の一部が保持されて、毎日のように花や草木に水を与えなくても済むようにするものである。
【００３２】
鉢の一部に備え付ける水溜受を鉢の内部に入れる中心部を空間部とする断面は溝状の水溜り用の凹みを形成壁で水溜部に形成した水溜受を鉢と別体、又は、鉢に一体に、鉢を形成する側壁から内部に連成させた水溜受を、鉢の側壁の下部に向って階段的に径小になる鉢の内部の底部に突出部を有して水溜受を少なくとも側壁の内部に一個所設けた鉢に備え付ける水溜受を鉢に設けるものである。
【実施例１】
【００３３】
この発明は図１のように鉢から独立して、鉢１の内部１５に入れる中心部を空間部２６とする断面は溝状の水溜り用の凹みを形成壁１２で形成した水溜部１３でなる水溜受２１を鉢１の内部１５に入れることによって、鉢に備え付ける水溜受を構成する。
【００３４】
このように構成した鉢に備え付ける水溜受において、鉢１に植えつける花や草木の種類によっても異なるが、図１のように鉢１に備え付ける水溜受２１は鉢１の主に下部に設けて、その上部に花や草木を植えつけて鉢１の上部から水を与えると、花や草木や土にしみ込み土を通り抜けた水は水溜受２１の断面を溝状とする形成壁１２の水溜部１３に水の一部は入り込み、その他の水は空間部２６や他の部分を経て水抜き穴１６から鉢１の外部に放出するようになる。
【００３５】
水が花や草木や土を通り抜ける際に、与えた水の量が少ないと花や草木や土に吸収されて水抜き穴１６から放出される水の量は殆んどない。
【００３６】
花や草木や土に与える水の量が少ないと毎日のように水を花や草木に与えなければならなくなる。
【００３７】
従って、本発明は花や草木に毎日のように水を散水しなくても済むようにするために、鉢に一度に与える水を多めに散水しておき鉢１の一部に水溜部１３を設けておいて、ここから土を介して花や草木の根に水を吸水し補給させるようにする作用を得るものである。
【００３８】
花や草木が生育し直に花や草木の根が水溜部１３の中に入っても、その根は花や草木の一部であるので、花や草木の全部の根が根腐れする心配はなくなり、花や草木は枯れることなく育成することができるものである。
【００３９】
図４はこの発明の水溜受２１の応用例であって、網目のように水溜部１３を設けるために、形成壁１２の巾を小さくして水溜部１３を小さくした一実施例を示すものである。
【００４０】
図４のこのようなものを実施する例としては花や草木の種類による特長によって決まるものである。
【００４１】
形成壁１２の立ち上り部の壁面に穴などを設けておいて、水溜部１３に水が定位置まで溜ったときに土に放出するようにしてもよい。
【００４２】
水溜受２１の直下の底部には水が行き渡らないようにも考えられるが、鉢１の径に対し水溜受２１の巾を適度の大きさに設ければ、鉢１に散水すれば土を伝わって水溜受２１の直下の土にも充分に水分がとどくので、花や草木の生育には支障をきたすことはない。
【００４３】
図５は図１の発明の応用例であって、水溜受を鉢に一体に設けた場合の鉢に備え付ける水溜受に関する発明である。
【００４４】
この発明は従来になかった鉢に備え付ける水溜受を設けるもので、鉢に簡単に備え付けるために成形型で多量に製造可能にするようにしたことにもあり、図５は鉢１１の側壁１０を下部に向って径小とする階段的な底部４０の内面に突出部７を有して、鉢１１の側壁１０との間に水溜受２、水溜受３を設けて、鉢１１の底部３０には水抜き穴６を設けて鉢に備え付ける水溜受を構成する。
【００４５】
このように構成した鉢において、鉢１１の側壁１０の上部の径大から下部に向って階段的に径小にしなければ鉢を成形型で製作することが困難であり、鉢を容易に製作するために、この発明は成形型の形抜きが容易にできるようにしたもので、成形型で鉢１１を多量に製作が可能にすることができる水溜受２と水溜受３の形状にした水溜受を少なくても鉢の側壁に一個設けるものである。
【００４６】
このようにすれば、鉢１１に花や草木を植えつけて花や草木が生育するためには、花や草木の種類にもよるが水を鉢に毎日のように与える必要がなくなるようになる。
【００４７】
この際、鉢は花や草木の根の全体をいつも水溜りに入れて水を与えておくと根腐れを発生して花や草木の育成が止まり枯れるので、鉢１１の全体には水溜りを作らないようにしなければならない。
【００４８】
従って、図１や図５の発明において、この鉢に備え付ける水溜受は鉢に一つ設けてもよいが、鉢が円錐状のものにあっては、花や草木を生育する土や飼料やその他、生育に必要なもの等を入れたものと共に、鉢の上下の位置に鉢に備え付ける水溜受を二つ設けることもできる、又、鉢の下面の土に水を供給すると、鉢に備え付ける水溜受に入った土に水は吸水されながら鉢に備え付ける水溜受に水が溜るようになるもので、この鉢に備え付ける水溜受には土と水が入るようになるものである。
【００４９】
鉢の一部に適度な形や深さを有した鉢に備え付ける水溜受を設けることによって、与えた水が設けた水溜受に溜って、土を伝わって花や草木を生育する土や飼料やその他、生育に必要なもの等に水を補給することもできる。
【００５０】
更に、花や草木を生育することによって、この鉢に備え付ける水溜受に入った花や草木の一部の根から花や草木は水を吸い上げて、花や草木の全体に水を行き渡らせることができるようにするもので、鉢に備え付ける水溜受は小さく、又、浅く設けて長く水溜りが生じないようにしても、従来のように頻繁に水を鉢にやらなくても済むようにすることができるものである。
【００５１】
鉢に備え付ける水溜受は根の生育に支障をきたさないような鉢の位置の場所に設けて、更に、鉢に備え付ける水溜受を深くすると水溜受にいつも水溜りが発生するので、ある期間おくと水は根に補給したり、水は土を介して蒸発して土の間に入り込み水は水溜受から抜けるような深さの水溜受を要して、根腐れを発生しないような鉢に備え付ける水溜受にするものである。
【００５２】
このようにした鉢に備え付ける水溜受を得るものである。
【００５３】
この発明において、鉢に備え付ける水溜受の断面の形状は角形を有していてもよく、又、水溜受の巾は広くなることも狭くなることもある、又、鉢に備え付ける水溜受の材料は合成樹脂や陶器もの等いろいろな材料を使用してもよい。
【００５４】
鉢の形状は丸形、正四角形、長方形などいろいろな形のものが考えられるが、鉢に備え付ける水溜受はそれらの形に合わせたものを作れば、これまで説明してきた効果を得ることができる鉢に備え付ける水溜受を得ることができるものである。
【図面の簡単な説明】
【００５５】
【図１】本発明の鉢に備え付ける水溜受を鉢に備え付けた場合の要部断面図。
【図２】図１の鉢に備え付ける水溜受の上面図。
【図３】図２の水溜受の断面図。
【図４】図２の鉢に備え付ける水溜受の一応用例を示す上面図。
【図５】図１の一応用例を示す鉢の要部断面図。
【符号の説明】
【００５６】
１．１１：鉢
２．３．２１：水溜受
５.１５：内部
６.１６．２６.３６：空間部
７：突出部
１０.２０：側壁
１２：形成壁
１３：水溜部
３０.４０：底部
【図１】
2006109750.tif 000003
【図２】
2006109750.tif 000004
【図３】
2006109750.tif 000005
【図４】
2006109750.tif 000006
【図５】
2006109750.tif 000007